(57)【要約】【課題】  指標板に所定の照明意匠を重ねて発光表示させるにあたって、新規性のある見栄えを演出することが可能な計器装置を提供する。【解決手段】  指針４によって指示される指標部５１と指標部５１の背景をなす光沢を有する背景部５２（傾斜部５７）とが形成された指標板５と、指針４の外周を取り巻くように指標板５の前方側に配設される装飾部材Ｄと、装飾部材Ｄに光を供給する光源１０とを備え、装飾部材Ｄは、光源１０からの光を、指針４の回転中心部Ｒを挟んで向かい合う傾斜部５７側の前面に向けて照射する照射部７３を備えている。【選択図】  図２
2008064636.tif 000002
【特許請求の範囲】
【請求項１】
指針によって指示される指標部と前記指標部の背景をなす光沢を有する背景部と前記指針の外周を取り巻くように前記背景部の所要部を前記背景部の前方側に隆起させた隆起部とが形成された立体形状からなる指標板と、
前記隆起部に光を供給する光源とを備え、
前記隆起部は、前記光源からの光を、前記指針の回転中心部を挟んで向かい合う前記背景部の前面に向けて照射する照射部を備えてなることを特徴とする計器装置。
【請求項２】
指針によって指示される指標部と前記指標部の背景をなす光沢を有する背景部とが形成された指標板と、
前記指針の外周を取り巻くように前記指標板の前方側に配設される装飾部材と、
前記装飾部材に光を供給する光源とを備え、
前記装飾部材は、前記光源からの光を、前記指針の回転中心部を挟んで向かい合う前記背景部の前面に向けて照射する照射部を備えてなることを特徴とする計器装置。
【請求項３】
前記隆起部または前記装飾部材は、前記光源からの光を前記照射部側に反射する反射部を備えてなることを特徴とする請求項１または請求項２記載の計器装置。
【請求項４】
前記隆起部または前記装飾部材と前記光源との間に導光部材を配設し、前記導光部材は、前記光源からの光を前記照射部側に反射する反射部を備えてなることを特徴とする請求項１または請求項２記載の計器装置。
【請求項５】
前記光源から前記照射部に至る照明経路中に、前記光源の発光色とは異なる色調を有する着色部を設けてなることを特徴とする請求項１または請求項２記載の計器装置。
【請求項６】
前記背景部は、前記隆起部または前記装飾部材の背後側に、前記指標板を絞り加工することで形成される傾斜部を備えてなることを特徴とする請求項１または請求項２記載の計器装置。
【請求項７】
前記傾斜部は、金属調の光沢を備え、前記指針の回転中心部を取り巻くように配設されてなることを特徴とする請求項６記載の計器装置。
【発明の詳細な説明】
【技術分野】
【０００１】
本発明は、例えば自動車を代表とする各種車両に搭載される計器装置に関する。
【背景技術】
【０００２】
従来、この種の計器装置にあっては、例えば下記特許文献１に記載されているものが知られている。この特許文献１に記載の計器装置は、駆動装置の回転軸と略直交方向に長手状に伸びる指示部を有する指針と、前記指示部によって指示される数字や目盛からなる指標部と前記指標部の背景をなす背景部とを有する指標板と、前記指針の外周を取り巻くように配設されるリング状の透光部材と、この透光部材及び前記指標部を照明する光源とを備えている。そして、リング状の前記透光部材が、その内周側面に中心側（前記回転軸側）に光を照射する照射部を備えるとともに、前記指標板における前記背景部が、前記回転軸付近から外側に延在し、前記数字の背景をなす円板部と、この円板部を取り巻くように背後に傾斜して延び、前記目盛の背景をなす金属調の環状傾斜部とを備え、前記環状傾斜部と前記照射部とを対向配置させ、前記環状傾斜部は、前記照射部から照射される照射光を受けてリング状に発光する構成であった。
【特許文献１】特開２００２−２５７６０１号公報
【発明の開示】
【発明が解決しようとする課題】
【０００３】
しかしながら、特許文献１に記載の計器装置の場合、前記環状傾斜部を取り囲むように配設されるリング状の前記透光部材における前記照射部が、前記環状傾斜部と僅かなクリアランスを有するように対向配置される構成である。従って、前記照射部から照射される光が、前記照射部と僅かなクリアランスを隔てて位置する前記環状傾斜部にあたって、前記環状傾斜部を光輝させることで、前記環状傾斜部は、所定の照明意匠（例えばリング状発光部）を形成するものであるが、かかるリング状発光部は、単に前記環状傾斜部上に平面的に発光表示されるだけであるため（言い換えると、前記環状傾斜部と同一面上に重ねて発光表示されるだけであるため）、前記指標板の照明意匠が単調にならざるを得なく斬新さに欠けていた。
そこで本発明は、前述の課題に対して対処するため、指標板に所定の照明意匠を重ねて発光表示させるにあたって、新規性のある見栄えを演出することが可能な計器装置の提供を目的とするものである。
【課題を解決するための手段】
【０００４】
本発明は、指針によって指示される指標部と前記指標部の背景をなす光沢を有する背景部と前記指針の外周を取り巻くように前記背景部の所要部を前記背景部の前方側に隆起させた隆起部とが形成された立体形状からなる指標板と、前記隆起部に光を供給する光源とを備え、前記隆起部は、前記光源からの光を、前記指針の回転中心部を挟んで向かい合う前記背景部の前面に向けて照射する照射部を備えてなることを特徴とする。
【０００５】
また本発明は、指針によって指示される指標部と前記指標部の背景をなす光沢を有する背景部とが形成された指標板と、前記指針の外周を取り巻くように前記指標板の前方側に配設される装飾部材と、前記装飾部材に光を供給する光源とを備え、前記装飾部材は、前記光源からの光を、前記指針の回転中心部を挟んで向かい合う前記背景部の前面に向けて照射する照射部を備えてなることを特徴とする。
【０００６】
また本発明は、前記隆起部または前記装飾部材は、前記光源からの光を前記照射部側に反射する反射部を備えてなることを特徴とする。
【０００７】
また本発明は、前記隆起部または前記装飾部材と前記光源との間に導光部材を配設し、前記導光部材は、前記光源からの光を前記照射部側に反射する反射部を備えてなることを特徴とする。
【０００８】
また本発明は、前記光源から前記照射部に至る照明経路中に、前記光源の発光色とは異なる色調を有する着色部を設けてなることを特徴とする。
【０００９】
また本発明は、前記背景部は、前記隆起部または前記装飾部材の背後側に、前記指標板を絞り加工することで形成される傾斜部を備えてなることを特徴とする。
【００１０】
また本発明は、前記傾斜部は、金属調の光沢を備え、前記指針の回転中心部を取り巻くように配設されてなることを特徴とする。
【発明の効果】
【００１１】
本発明によれば、初期の目的を達成でき、指標板に所定の照明意匠を重ねて発光表示させるにあたって、新規性のある見栄えを演出することが可能な計器装置を提供できる。
【発明を実施するための最良の形態】
【００１２】
（第１実施形態）図１から図４は、本発明の第１実施形態を示すもので、以下、これらに基づいて本発明の実施形態を例えば車両に搭載される指針式速度計に適用した場合について説明する。なお、図１は本発明の第１実施形態による計器装置の正面図、図２は図１のＡ−Ａ断面図、図３は図２の一部を拡大して示す要部断面図、図４は同実施形態による虚像が表示された状態を示す計器装置の正面図である。
【００１３】
図１，図２において、本実施形態による計器装置は、回路基板１と、この回路基板１に導通装着され回転軸２が前方に延びる駆動装置３と、回転軸２にて回転駆動される指針４と、この指針４によって指示される後述する第１の指標部を有する指標板（第１の指標板）５と、この第１の指標板５を支持する第１の支持部材６と、指針４の外周を取り巻くように第１の指標板５の前方側に配設され、指針４によって指示される後述する第２の指標部を有する第２の指標板７と、この第２の指標板７を支持する第２の支持部材８と、指針４を照明する指針用光源９と、第１、第２の指標板５，７を照明する光源１０と、回路基板１と第１の支持部材６との間に配設されるケース体１１と、第１の支持部材６や第２の指標板７を包囲する見返し部材１２とから構成される。
【００１４】
回路基板１は、例えばガラスエポキシ系基材に配線パターン（図示せず）を施した硬質回路基板からなり、指針用光源９と、光源１０と、駆動装置３の駆動・制御を行う駆動手段（図示せず）や抵抗、コンデンサ等の各種回路部品（図示せず）が前記配線パターンに導通接続されている。
【００１５】
駆動装置３は、可動磁石式計器またはステッピングモータからなり、回転軸２が回路基板１を貫通するように、その主要部が回路基板１の背後に装着され、且つ半田付け等の適宜導通手段により前記配線パターンに電気接続される。
【００１６】
指針４は、第１の指標板５の前記第１の指標部及び第２の指標板７の前記第２の指標部を指示する透光性合成樹脂からなる指示部４１と、この指示部４１の回転中心部Ｒの外周を覆う遮光性合成樹脂からなる略半球形状の指針キャップ４２とを備え、指示部４１の回転中心部Ｒには、背後に配置された指針用光源９から発せられる光を受光し、その光を指示部４１の先端側に反射導光する図示しない受光面が形成されている。
【００１７】
なお、本実施形態の場合、第１の指標板５における前記第１の指標部の形成される面（指標板５の後述する傾斜部）は、後述するように略すり鉢状傾斜面に形成されていることから、指針４の指示部４１は、前記傾斜部に沿って線状に延び、前記第１，第２の指標部を指示しているものとする。
【００１８】
第１の指標板５は、車両の速度を数字にて表示するための表示板からなり、指針４の回転軌道に沿った円弧状の配列形状を有し、図３に示すように指示部４１の指示対象となる速度数字からなる第１の指標部（指標部）５１と、この第１の指標部５１の背景をなす金属光沢を有する背景部５２と、この背景部５２に対応して形成される反射層５３とを有している。
【００１９】
第１の指標部５１及び背景部５２は、第１の指標部５１が白色系の透光性インクにより、また背景部５２が略銀色からなるメタリック調（金属調）のインクにより、それぞれ第１の指標板５の母材となる薄板状の透光性基板５４の前面に印刷形成される。また、反射層５３は、光反射率の高い白色系インクにより指標部５１の形成範囲を除く透光性基板５４の背面に印刷形成される。なお、反射層５３は、半透過性の白色系インクを用いて背景部５２の形成範囲だけではなく指標部５１の形成範囲にも設けてもよい。
【００２０】
この際、本実施形態における金属調の背景部５２並びに反射層５３は、後述する第１の指標板５の平板部、傾斜部（第１の指標部５１の非形成領域に対応する傾斜部箇所）並びに平坦部に形成されるものとする。なお、第１の指標部５１、背景部５２並びに反射層５３の各印刷層は、スクリーン印刷等の手段を用いて印刷形成されている。５５は、回転軸２が貫通する略円形の貫通孔であり、この貫通孔５５は、第１の指標板５の略中央部に開口形成されている。
【００２１】
また第１の指標板５は、立体形状を有するように絞り加工されており、略中央部に回転軸２を貫通させるための貫通孔５５が形成された環状の平板部５６と、この平板部５６（指針４の回転中心部Ｒ）を取り巻くように前方側（図２中、上側）に傾斜して延び、すり鉢形状の傾斜面を構成する傾斜部５７と、この傾斜部５７から外周に向け平板部５６と略平行に延びる環状の平坦部５８とを有し、本実施形態では、第１の指標部５１と背景部５２と反射層５３とを透光性基板５４に印刷形成した後、透光性基板５４を熱変形させる、所謂、絞り加工（絞り成形）により立体形状を有する第１の指標板５が形成されている。
【００２２】
なお、第１の指標板５の主要部を構成する傾斜部５７は、平板部５６に対し所定角度、本実施形態では略４５度前方に傾いており、この領域内の周縁側に速度数字からなる第１の指標部５１が形成されている。そして、傾斜部５７は、この場合、後述する装飾部材の背後側（内側）に位置しているものとする。また、貫通孔５５は、前記絞り加工後に打ち抜き加工により得られる。
【００２３】
第１の支持部材６は、透光性合成樹脂からなり、第１の指標板５の平板部５６、傾斜部５７並びに平坦部５８を支持するように第１の指標板５の背面に沿い配設され、平板部５６を支持する第１の支持部６１と、傾斜部５７を支持する第２の支持部６２と、平坦部５８を支持し、且つ光源１０からの光を透過する機能を有する第１の透光部６３とを有している。
【００２４】
第１の支持部６１は、第１の指標板５の貫通孔５５に対応する略円形の孔部６４を有する略円環板形状からなり、かかる孔部６４には駆動装置３の回転軸２が貫通している。また、第２の支持部６２は、第１の指標板５の傾斜部５７と同様に略すり鉢状傾斜面を構成し、円環板形状からなる第１の支持部６１を取り巻くように前方側（図２中、上側）に傾斜して延び、第１の支持部６１に対し所定角度、本実施形態では略４５度前方に傾いている。
【００２５】
さらに、第１の透光部６３は、第２の支持部６２から外周に向け第１の支持部６１と略平行に延びる略円環板形状からなり、その内縁部６５にて平坦部５８を支持する支持部としての機能、内縁部６５を除いた第１の透光部６３部分にて光源１０からの光を透過し、この透過光を第２の指標板７側に導く導光部としての機能を有している。
【００２６】
また、第１の支持部材６は、本実施形態の場合、第１の指標板５とインサート成形なる手段を用いて一体形成されている。具体的には、前記絞り加工後に貫通孔５５を打ち抜き加工した第１の指標板５を図示しない成形金型内にセットし、前記成形金型を閉じた後、図示しない射出成形機を用いて第１の支持部材６となる溶融樹脂を前記成形金型内に射出する。前記溶融樹脂を射出した後、前記溶融樹脂を冷却することにより固化させ、前記成形金型を開いて取り出すことにより、第１の支持部材６と第１の指標板５とが一体形成される。このことから第１の支持部材６は、第１の指標板５を補強する補強部材としての機能を有していることになる。
【００２７】
第２の指標板７は、第１の指標板５を取り巻くように円環板形状の第１の透光部６３上に載置された略リング形状からなり、指示部４１の指示対象となる速度目盛からなる第２の指標部７１と、この第２の指標部７１の背景をなす金属光沢を有する地色部７２と、後述する反射光を透過し、この透過光を指針４の回転中心部Ｒを越えた側に位置する傾斜部５７の前面箇所に向けて照射するための照射部７３とを有している。
【００２８】
第２の指標部７１及び地色部７２は、第２の指標部７１が白色系の透光性インクにより、また地色部７２が略銅色からなるメタリック調（金属調）のインクにより、それぞれ第２の指標板７の母材となる薄板状の透光性基材７４の前面に印刷形成される。また、照射部７３は、地色部７２を形成するメタリック調インクを抜き印刷することにより、地色部７２が形成されない抜き部からなり、従って、照射部７３は、透光性基材７４が部分的に露出し、この透光性基材７４の露出部分（光透過部）を通じて前記反射光を傾斜部５７側に照射できるようになっている。
【００２９】
この際、本実施形態における第２の指標部７１は、後述する第２の指標板７の内側環状壁部、地色部７２は、前記内側環状壁部（第２の指標部７１の非形成領域に対応する内側環状壁部箇所）と後述する第２の指標板７の外側環状壁部、照射部７３は、後述する第２の指標板７の環状立壁部に各々形成されるものとする。なお、第２の指標部７１、地色部７２の各印刷層は、スクリーン印刷等の手段を用いて印刷形成されている。
【００３０】
また略リング形状からなる第２の指標板７は、第１の指標板５と同様に立体形状を有するように絞り加工されており、第１の指標板５の傾斜部５７と略平行に配設され、第１の指標部５１に対応する第１の指標部７１の施された内側環状壁部７５と、この内側環状壁部７５を取り巻くように内側環状壁部７５の外方に延設され、その先端側が第１の透光部６３の外縁（見返し部材１２）に当接するように傾斜して延びる外側環状壁部７６と、内側環状壁部７５の内縁から真下（第１の透光部６３側）に垂下する環状立壁部７７（照射部７３）とを有し、本実施形態では、第２の指標部７１と地色部７２とを透光性基材７４に印刷形成した後、透光性基材７４を熱変形させる、所謂、絞り加工（絞り成形）により立体形状からなる略リング形状の第２の指標板７が形成されている。
【００３１】
なお、第２の指標板７の内側環状壁部７５は、円環板形状からなる第１の透光部６３の板面に対し所定角度、本実施形態では略４０度の角度を有するように環状立壁部７７を介して第１の透光部６３の内縁上に載置され、第２の指標板７の外側環状壁部７６は、円環板形状からなる第１の透光部６３の板面に対し所定角度、本実施形態では略４５度の角度を有するように第１の透光部６３の外縁上に載置される。このことは、第１の支持部材６と第２の指標板７とで囲まれる領域、つまり第１の透光部６３と環状立壁部７７と内側環状壁部７５と外側環状壁部７６とで囲まれる領域に第１の空間部（第１の照明室）Ｓ１が形成されることを意味している。
【００３２】
第２の支持部材８は、透光性合成樹脂からなり、第２の指標板７の内側環状壁部７５、外側環状壁部７６並びに環状立壁部７７を支持するように第２の指標板７の背面に沿い配設され、内側環状壁部７５を支持する第３の支持部８１と、外側環状壁部７６を支持する第４の支持部８２と、環状立壁部７７を支持し、且つ光源１０からの光（前記反射光）を透過する機能を有する第２の透光部８３とを有している。
【００３３】
第３の支持部８１は、第２の指標板７の内側環状壁部７５と同様に環状傾斜壁を構成し、環状立壁部７７を取り巻くように前方側（図２中、上側）に傾斜して延び、第１の透光部６３に対し所定角度、本実施形態では略４０度前方に傾いている。一方、第４の支持部８２は、第２の指標板７の外側環状壁部７６と同様に環状傾斜壁を構成し、内側環状壁部７５を取り巻くように背後側（図２中、下側）に傾斜して延び、第１の透光部６３に対し所定角度、本実施形態では略４５度の傾斜角度を有している。
【００３４】
また第２の透光部８３は、環状立壁部７７と同様に環状立壁を構成し、環状立壁部７７を取り巻くように形成され、前記反射光を透過するとともにこの透過光を環状立壁部７７に導くことが可能である。なお、第２の支持部材８は、第２の指標板７と前述したインサート成形なる手段を用いて一体形成され、本実施形態の場合、一体形成された第２の指標板７と第２の支持部材８とで装飾部材Ｄを形成している。また、第２の支持部材８は、第２の指標板７を補強する補強部材としての機能を有していることになる。
【００３５】
そして、このインサート成形後に、第２の支持部材８における第４の支持部８２の背面には、鏡面層からなる反射部８４が蒸着や塗装等の手段により形成される。かかる反射部８４は、第１の支持部材６の第１の透光部６３を透過して第１の照明室Ｓ１内に供給される光源１０の光を、第２の支持部材８の第２の透光部８３側に反射光として反射導光する機能を有する。なお、反射部８４は、必要に応じて、第４の支持部８２の背面に加えて第２の指標部７１に対応する部分を除いた第３の支持部８１の背面箇所に設けてもよい。
【００３６】
さらに、本実施形態の場合、光源１０から照射部７３に至る照明経路中となる第２の透光部８３の背面（反射部８４と向かい合う面）には、光源１０の発光色とは異なる色調（例えば青色）の透光性インクからなる着色部８５がスクリーン印刷等の手段を用いて形成されており、かかる着色部８５に前記反射光が供給されると、前記反射光は着色部８５を通過して着色され、さらにこの着色光が第２の透光部８３、環状立壁部７７（照射部７３）を透過し、この照射部７３を通過する光が、照射部７３の前面（第２の透光部８３側とは反対側の面）から指針４の回転中心部Ｒを越えた側に位置する傾斜部５７の前面箇所に向けて照射される構成となる。
【００３７】
指針用光源９は、例えば赤色光を発するチップ型発光ダイオードからなり、指示部４１の回転中心部Ｒに対応する回路基板１上に複数個配置され、指示部４１を発光させる発光体である。
【００３８】
光源１０は、例えば白色光を発するチップ型発光ダイオードからなり、第１の支持部材６における第２の支持部６２の下端側に対応する回路基板１上に複数個配置され、第１，第２の指標部５１，７１を発光させる発光体である。さらに、本実施形態の場合、光源１０は、装飾部材Ｄの背後側から装飾部材Ｄに光を供給しているものである。
【００３９】
ケース体１１は、例えば白色系の合成樹脂からなり、第１の指標板５の平板部５６を保持するための保持部である筒状部１１１と、この筒状部１１１を取り巻くように配設され、第１の支持部材６における第１の透光部６３の外縁を保持するための保持部である略円筒状の周壁部１１２とを備えている。また、この場合、筒状部１１１は、指針用光源９を収納するための収納部としての機能、指針用光源９から発せられる光を指針４側へ反射する反射部としての機能を有している。
【００４０】
なお、１１３は、見返し部材１２を載置するための載置面であり、この載置面１１３は、周壁部１１２における外壁面の略上端部から外方、つまり前記外壁面と略直交する方向に向けて延在しているものとする。一方、周壁部１１２における内壁面の略上端部から内方には、第１の指標板５（第１の支持部材６）と所定間隔を有するように回路基板１側に傾斜して延びる傾斜面１１４が形成されている。かかる傾斜面１１４と回路基板１との当接箇所は、光源１０よりもやや外側に位置しているため、光源１０は、傾斜部１１４と筒状部１１１と第１の支持部材６とで囲まれる領域となる第２の空間部（第２の照明室）Ｓ２内に収納される構成となる。
【００４１】
見返し部材１２は、例えば黒色の合成樹脂からなり、第１の支持部材６や第２の指標板７を取り巻くようにケース体１１の載置面１１３上に載置され、第１の支持部材６における第１の透光部６３の外周面に対応する位置に略円形の開口部１２１を備えている。
【００４２】
以上の各部により計器装置が構成される。このような構成において、各光源１０が点灯すると、各光源１０から発せられる白色光は、まず主にその真上に位置する傾斜壁からなる第２の支持部６２の下端側領域に進み、この第２の支持部６２の下端側領域（前記傾斜壁）を通じて外側（傾斜面１１４の略中央位置）に向けて反射導光される。その後、傾斜面１１４の略中央位置に反射導光された光は、第２の支持部６２の上端側、傾斜面１１４の上端側へと装飾部材Ｄ側に順次反射導光され、この傾斜面１１４の上端側にて前方側に反射された光が第１の透光部６３を透過する。
【００４３】
言い換えると、各光源１０から発せられる白色光は、真上に進み、第２の空間部である第２の照明室Ｓ２内に供給され、この第２の照明室Ｓ２内に供給された光が、第１の支持部材６背面や傾斜面１１４前面を通じて、第２の照明室Ｓ２の上端側（つまり、第１の透光部６３側）に反射導光され、白色透過光として第１の透光部６３を透過するものである。
【００４４】
なお、第１の支持部材６背面に供給される光の一部は、第１の支持部材６を透過して第１の指標板５側にも導かれるが、第１の支持部材６と第１の指標板５との間には、白色の反射層５３が形成されているため、第１の支持部材６を透過する光は、白色の反射層５３によって第１の支持部材６背面側（第２の照明室Ｓ２側）反射される構成となる。つまり、このことは、白色の反射層５３が、第１の透光部６３を透過する透過光量を補う目的として設けられていることを意味している。一方、光源１０からの光が第１の透光部６３に到達する途中において、反射層５３の非形成領域（反射層５３の形成されない抜き印刷部）に供給される光は、反射層５３の非形成領域を通過して、第１の指標部を透過することで、第１の指標部５１が白色で発光する構成となる。
【００４５】
そして、第１の透光部６３を透過する前記白色透過光は、装飾部材Ｄ側となる第１の照明室Ｓ１に供給される。かかる第１の照明室Ｓ１に供給される前記白色透過光は、第２の支持部材８の第３の支持部８１側に向かう光と、第２の支持部材８の第４の支持部８２側に向かう光とに大別される。第３の支持部８１側に向かう前記白色透過光は、第３の支持部８１を透過し、さらに第２の指標部７１を透過することで、第２の指標部７１が白色で発光する構成となる。
【００４６】
一方、第４の支持部８２側に向かう前記白色透過光は、第４の支持部８２背面に形成された鏡面層からなる反射部８４を通じて第２の支持部材８における第２の透光部８３側に反射光（白色反射光）として反射される。この際、第２の透光部８３の背面には青色からなる着色部８５が形成されていることから、前記白色反射光は着色部８５を透過する際に青色に着色され、青色反射光ととなって照射部７３内へと導かれる。
【００４７】
さらに、照射部７３内に導かれた前記青色反射光は、照射部７３を透過して、照射部７３の前面（第２の透光部８３と当接する面とは反対側の面）から第１の指標板５における傾斜部５７の前面に向けて照射される。このとき、本実施形態では、照射部７３から照射される青色照射光は、図２中の点線矢印部分に示すように、指針４の回転中心部Ｒを挟んで向かい合う（反対側となる）傾斜部５７の前面を照射する構成となっている。言い換えると、照射部７３の各部分から照射される前記青色照射光は、回転軸２の略軸線Ｌ上を通過して、指針４の回転中心部Ｒを越えた側に位置する傾斜部５７の前面箇所を照射する構成となっている（一例として図４中、矢印で示す光路Ｋのように光が導かれる）。
【００４８】
なお、本実施形態の場合、ある所定の照射部７３箇所から照射される前記青色照射光は、指針４の回転中心部Ｒを越えた側に位置する傾斜部５７の前面箇所を照射する前に、指示部４１における所要部の前面箇所を照射するものが存在するが、この指示部４１前面を照射する前記青色照射光は、指針用光源９からの光を受けて発光する指示部４１の赤色発光色に比べて発光強度が弱いことから、指示部４１の赤色発光色によって吸収されるものとする。つまり、本実施形態における後述する略リング状の虚像は、より詳細に言えば、指示部４１に対応する部分が切断（分断）された状態の略「Ｃ」字形状の虚像となる。
【００４９】
最後に、前述したように指針４の回転中心部Ｒを越えた側に位置する傾斜部５７の前面箇所を照射してなる前記青色照射光は、この傾斜部５７の前面箇所を通じて観察者側（運転者側）に反射されることで、前記観察者は、略リング状の青色発光表示像である照明意匠、つまり虚像Ｘを視認することができる（図４参照）。
【００５０】
かかる虚像Ｘは、照射部７３の前面から回転軸２の軸線Ｌ上を経て回転中心部Ｒを越えた側に位置する傾斜部５７の前面箇所に至る距離（前記光路Ｌ１、Ｌ２、Ｌ３）が従来に比べて遠距離に設定され、且つ傾斜部５７が金属調に設定されていることに伴い、実際の第１の指標板５（傾斜部５７）の位置よりも奥まった位置に浮かんだ状態で発光表示される。言い換えると、略青色リング状の虚像Ｘは、指針キャップ４２を取り巻いて、実際の第１の指標板５（傾斜部５７）の位置よりも奥行き側（回路基板１側）に浮遊感を有して視認される構成となることから、第１の指標板５に略リング状の虚像（前記青色発光表示像）Ｘを重ねて発光表示させるにあたって、新規性のある斬新な見栄えを演出することができる。なお、傾斜部５７を金属調に設定したことで、この傾斜部５７での前記青色照射光の反射率（反射効率）が若干、低下する（例えば傾斜部を鏡面とした場合に比べて低下する）ことから、略リング状の虚像Ｘは、この場合、くっきりとは発光表示されず、ややぼやけた状態で発光表示される。
【００５１】
また本実施形態では、装飾部材Ｄは、光源１０からの光を照射部７３側に反射する反射部（鏡面層）８４を備えてなることにより、反射部８４にて反射される反射光（つまり、照射部７３の前面から照射される照射光）が遠距離である指針４の回転中心部Ｒを越えた側の傾斜部５７の前面に減衰することなく照射されることから、虚像Ｘの照明効率を高めることができる。
【００５２】
また本実施形態では、光源１０から照射部７３に至る照明経路中に、光源１０の発光色とは異なる色調を有する着色部８５を設けてなることにより、略リング状からなる虚像Ｘが第１の指標部５１とは異なる色調を有するように発光表示されることから、虚像Ｘと第１の指標部５１とを異なる色で発光させる際に有利である。
【００５３】
また本実施形態では、背景部５２は、装飾部材Ｄの背後側に、指標板５を絞り加工することで形成される傾斜部５７を備えてなることにより、傾斜部５７と装飾部材Ｄの照射部７３とを比較的容易に対向配置させることが可能となるため、照射部７３から照射される光を用いて第１の指標板５に虚像Ｘを重ねて表示させる際に有利な構成となる。
【００５４】
また本実施形態では、虚像Ｘが、略リング状に発光表示されてなる例について説明したが、虚像Ｘの表示形態は任意であり、例えば環状立壁形状に形成される照射部７３の前面（内壁面）のうち、連続する半周部分を遮光部（金属調等）に設定することで、虚像Ｘを略半円環状に発光表示させることも可能である。
【００５５】
なお本実施形態では、着色部８５が、第２の透光部８３の背面全体に一様に形成されてなる例について説明したが、例えば本実施形態の変形例として図５に示すように着色部８５を第２の透光部８３の背面の一部にだけ形成してもよい。具体的には、第２の透光部８３の略中央部分から上方部分のみに着色部８５を設ける構成とすることで、着色部８５を通過する前記白色反射光は、着色部８５自体の色調である青色光に着色されて青色反射光として第２の透光部８３、環状立壁部７７を透過するとともに、着色部８５を通過しない第２の透光部８３の下方部分を通過する前記白色反射光は、着色されずに白色光のまま前記白色反射光として第２の透光部８３、環状立壁部７７を透過する。
【００５６】
従って、環状立壁部７７（照射部７３）の前面から回転中心部Ｒを越えて傾斜部５７の前面に照射される照射光は、青色照射光とこの青色照射光の照射される傾斜部５７部分よりもやや内側の傾斜部５７部分に照射される白色照射光とからなり、これら各照射光が傾斜部５７を通じて前記観察者側に反射されることで、前記観察者は略リング状の虚像Ｘを第１の指標板５に重ねて視認することができる。このとき視認される虚像Ｘは、傾斜部５７が金属調に設定されていることで、全体的にややぼやけた状態となる。特に、前記青色照射光の反射によって生じる青色発光表示像と前記白色照射光の反射によって生じる白色発光表示像との境界がぼやけた状態となることで、略リング状の虚像Ｘは、この場合、内側から外側に向かうに従って色が徐々に濃くなる（つまり、内側から外側に向かうに従って色が白色から青色に変化する）、あたかもグラデーション風の虚像のように発光表示され、より一層斬新な見栄えを実現できる。
【００５７】
（第２実施形態）次に、図６を用いて、本発明の第２実施形態を説明するが、前述した第１実施形態と同一もしくは相当個所には、同一符号を付してその詳細な説明は省略する。なお、図６は本発明の第２実施形態による計器装置の要部断面図を示している。
【００５８】
この第２実施形態が、前記第１実施形態と比べて異なる点は、第１の指標板５と第２の指標板７とを一体化（一体形成）してなる単一の指標板１５０を設け、この指標板１５０とこれを支持する単一の支持部材１６０とを前記インサート成形なる手段を用いてさらに一体形成した点である。
【００５９】
この場合、指標板１５０は、指示部４１によって指示される速度数字１５１ａ、速度目盛１５１ｂからなる指標部１５１と、速度数字１５１ａの背景をなす光沢を有する第１の背景部１５２ａと速度目盛１５１ｂの背景をなす光沢を有する第２の背景部１５２ｂとからなる背景部１５２と、第１の背景部１５２ａ（あるいは速度数字１５１ａ並びに第１の背景部１５２ａ）に対応して形成される反射層１５３とを有し、指標部１５１、背景部１５２は、指標板１５０の母材となる透光性基板１５４の前面に印刷形成され、反射層１５３は透光性基板１５４の背面に印刷形成される。
【００６０】
ここで言う、速度数字１５１ａ、第１の背景部１５２ａ、反射層１５３は、前記第１実施形態にて採用した第１の指標板５における第１の指標部５１、背景部５２、反射層５３にそれぞれ相当するものである。また、速度目盛１５１ｂ、第２の背景部１５２ｂは、前記第１実施形態にて採用した第２の指標板７における第２の指標部７１、地色部７２にそれぞれ相当するものである。
【００６１】
また指標板１５０は、立体形状からなり、平板部１５５と、傾斜部１５６と、環状立壁部（照射部）１５７と、内側環状壁部１５８と、外側環状壁部１５９とを有するように前記絞り成形なる手段を用いて絞り加工される。ここで、指標板１５０の平板部１５５、傾斜部１５６は、前記第１実施形態にて採用した第１の指標板５における平板部５６、傾斜部５７にそれぞれ相当するものである。なお、前記第１実施形態にて採用した第１の指標板５における平坦部５８に相当する箇所は、指標板１５０には存在しないものとする。
【００６２】
一方、指標板１５０の環状立壁部１５７、内側環状壁部１５８、外側環状壁部１５９は、前記第１実施形態にて採用した第２の指標板７における環状立壁部７７（照射部７３）、内側環状壁部７５、外側環状壁部７６にそれぞれ相当するものである。そして、本第２実施形態では、環状立壁部１５７と、内側環状壁部１５８と、外側環状壁部１５９と、後述する第３の保持部と、後述する第４の保持部と、後述する第５の保持部とで隆起部１７０が構成されているものとする。このことは、傾斜部１５６（指針４の外周）を取り巻くように背景部１５２の一部（所要部）である指標板１５０の外縁を傾斜部１５６のさらに前方側に突出（隆起）させた隆起部１７０が、前記第１実施形態にて採用した装飾部材Ｄに相当するものであることを意味している。
【００６３】
支持部材１６０は、指標板１５０の背面に沿うように配設され、平板部１５５を支持（保持）する第１の保持部１６１と、傾斜部１５６を保持する第２の保持部１６２と、環状立壁部１５７を保持する第３の保持部１６３と、内側環状壁部１５８を保持する第４の保持部１６４と、外側環状壁部１５９を保持する第５の保持部１６５とを備えている。この場合、第３の保持部１６３は、前記第１実施形態と同様に光源１０からの光（前記反射光）を透過する透光部としての機能を有しており、前記第１実施形態における第２の支持部材８の第２の透光部８３に相当するものである。なお、本第２実施形態の場合、前記第１実施形態にて採用した第１の支持部材６における第１の透光部６３に相当する箇所は、支持部材１６０には存在しないものとする。
【００６４】
そして、支持部材１６０における第５の保持部１６５の背面には、前記第１実施形態にて採用した反射部８４に相当する反射部１６６が形成されているとともに、第３の保持部（透光部）１６３の背面（反射部１６６と向かい合う面）には、前記第１実施形態にて採用した着色部８５に相当する着色部１６７が形成されている。なお、着色部１６７は、透光部１６３の背面ではなく、環状立壁部１５７の背面に設けてもよい。
【００６５】
かかる第２実施形態においても、各光源１０から発せられる光は、前記第１実施形態にて採用した第２の照明室Ｓ２を通じて前方側（隆起部１７０）側に反射導光され、さらに第２の照明室Ｓ２に連通する第１の照明室Ｓ１内へと導かれる。この際、前記第１実施形態と同様に速度数字１５１ａが白色で照明されることは言うまでもない。そして、第１の照明室Ｓ１へ導かれた光のうち、隆起部１７０における第４の保持部１６４に向かう光は、第４の保持部１６４を透過し、さらに速度目盛１５１ｂを透過することで、速度目盛１５１ｂが白色で発光する構成となる。
【００６６】
また、第１の照明室Ｓ１へ導かれた光のうち、隆起部１７０における第５の保持部１６５に向かう光は、鏡面層からなる反射部１６６を通じて第３の保持部（透光部）１６３側に反射光（白色反射光）として反射される。この際、透光部１６３の背面には青色からなる着色部１６７が形成されていることから、前記白色反射光は着色部１６７を透過する際に青色に着色され、青色反射光ととなって環状立壁部（照射部）１５７内へと導かれる。
【００６７】
さらに、環状立壁部（照射部）１５７内に導かれた前記青色反射光は、照射部１５７を透過して、照射部１５７の前面（透光部１６３と当接する面とは反対側の面）から指針４の回転中心部Ｒを越えて向かい合う側に位置する傾斜部１５６の前面に向けて照射され、この傾斜部１５６の前面箇所を通じて観察者側（運転者側）に反射されることで、前記観察者は、略リング状の青色発光表示像である虚像Ｘを視認することができる。
【００６８】
かかる虚像Ｘは、照射部１５７の前面から回転軸２の軸線Ｌ上を経て回転中心部Ｒを越えた側に位置する傾斜部１５６の前面箇所に至る距離が従来に比べて遠距離に設定され、且つ傾斜部１５６が金属調に設定されていることに伴い、実際の指標板１５０（傾斜部１５６）の位置よりも奥まった位置に浮かんだ状態で発光表示されるため、前記第１実施形態と同様の作用効果を得ることができる。
【００６９】
（第３実施形態）次に、図７を用いて、本発明の第３実施形態を説明するが、前述した第１，第２実施形態と同一もしくは相当個所には、同一符号を付してその詳細な説明は省略する。なお、図７は本発明の第３実施形態による計器装置の要部断面図を示している。
【００７０】
この第３実施形態が、前記第１実施形態と比べて異なる点は、第１の支持部材６における第１の透光部６３のうち内縁部６５以外の部分を廃止した点、第２の支持部材８における第２の反射部８４を廃止した点、ケース体１１における傾斜面１１４の略中央部分から上方部分を傾斜面ではなく立壁部１１５とした点、ケース体１１の立壁部１１５と周壁部１１２との間に形成される間隙に略円筒状の導光部材１８０を配設した点、この導光部材１８０の直下となる回路基板１上に複数の光源１９０を実装した点である。つまり、本第３実施形態では、前記第１、第２実施形態にて採用した光源１０ではなく、光源１９０から発せられる光により虚像Ｘが発光表示されるものである。
【００７１】
ケース体１１の立壁部１１５は、傾斜面１１４の略中央部分から第１の指標板５の平坦部５８に向けて延びる外周壁からなり、平坦部５８を保持する保持部としての機能を有している。なお、本第３実施形態の場合、第２の照明室Ｓ２は、傾斜部１１４と立壁部１１５と第１の支持部材６と筒状部１１１とで囲まれる空間領域となる。
【００７２】
導光部材１８０は、アクリル等の透光性合成樹脂からなり、各光源１９０と装飾部材Ｄとの間に配設される。かかる導光部材１８０は、各光源１９０から発せられる光を入射するための入射部１８１と、この入射部１８１を通じて導光部材１８０内に採り入れられた光を第２の透光部８３（着色部８５）側に反射させるための反射部１８２と、第２の透光部８３（着色部８５）と対向する出射部１８３とを有している。
【００７３】
光源１９０は、例えば白色光を発するチップ型発光ダイオードからなり、導光部材１８０の入射部１８１と対向するように回路基板１上に複数個配置され、導光部材１８０内に光を供給する発光体である。
【００７４】
かかる第３実施形態によれば、光源１９０から発せられる白色光は、その真上に位置する導光部材１８０の入射部１８１を通じて導光部材１８０内に入射され、この導光部材１８０内に入射された入射光は、そのまま直進して反射部１８２に到達し、この反射部１８２に到達した光が反射部１８２によって出射部１８３側に白色反射光として反射される。
【００７５】
そして、前記白色反射光は、出射部１８３から出射され、その後、着色部８５を透過する際に青色に着色され、この青色に着色された青色反射光が、第２の透光部８３及び照射部７３を通過して、照射部７３から指針４の回転中心部Ｒを越えた側に位置する傾斜部５７の前面に向けて青色照射光として照射される。従って、前記青色照射光は、回転中心部Ｒを越えた側の傾斜部５７前面にあたって前記観察者側に反射され、これにより前記観察者は、前記第１実施形態と同様に、実際の傾斜部５７の位置よりも奥まった位置に略リング状の虚像Ｘを第１の指標板５に重ねて視認することができる。
【００７６】
また前記第１，第３実施形態では、着色部８５が第２の透過部８３の背面に形成されてなる例について説明したが、着色部８５は光源１０から照射部７３に至る照明経路中であればあらゆる部分に設けることが可能であり、例えば着色部８５を第１の透光部６３の前面や背面、あるいは環状立壁部７７（照射部７３）の背面に設けてもよい。なお、前記第３実施形態では、上記に加えて着色部８５を反射部１８２と対向する出射部１８３箇所に設けてもよい。
【００７７】
また本第３実施形態では、光源１９０が、白色光を発するチップ型発光ダイオードからなる場合について説明したが、例えば光源１９０が青色光を発するチップ型発光ダイオードからなる構成とした場合であっても、青色からなる略リング状の虚像Ｘを実際の第１の指標板５の位置よりも奥まった位置に発光表示させることが可能となる。なお、この場合、青色からなる着色部８５を廃止することができることは言うまでもない。
【００７８】
なお本第３実施形態では、第１の指標板５と第２の指標板７とが別部材で構成されていたが、第１の指標板５と第２の指標板７とを一体形成してもよい。具体的には、前記第２実施形態にて採用したような第１の指標板５と第２の指標板７とを一体形成した単一の指標板１５０を採用してもよい。かかる指標板１５０を採用した場合、これを支持する支持部材（例えば指標板１５０と前記インサート成形なる手段を用いて一体形成される、前記第２実施形態にて採用した支持部材１６０）が必要であることは言うまでもない。
【００７９】
また前記各実施形態では、照射部７３，１５７が、光を透過する光透過部からなる場合について説明したが、例えば照射部７３，１５７を、光を通過させるための貫通孔部からなる間隙部とすることも可能である。この場合、前記間隙部は、前記第１，第３実施形態に基づいて説明するなら、第２の指標板７における内側環状壁部７５と第１の指標板５における平坦部５８との間に開口形成される開口部形状からなり、前記第２実施形態に基づいて説明するなら、指標板１５０における傾斜部１５６と内側環状壁部１５８との間に開口形成される開口部形状からなる。なお、場合によっては、照射部７３，１５７に加えて照射部７３，１５７に対応する第２の透光部（透光部）８３，１６３を前記間隙部として形成してもよい。第２の透光部（透光部）８３，１６３を前記間隙部とした場合、着色部８５，１６７は上述したように環状立壁部７７，１５７の背面等に設ける必要がある。
【００８０】
また前記各実施形態では、傾斜部５７，１５６に速度数字を設け、内側環状壁部７５，１５８（つまり、装飾部材Ｄ、隆起部１７０）に速度目盛を設けた場合について説明したが、例えば傾斜部５７，１５６に速度目盛を設け、内側環状壁部７５，１５８（装飾部材Ｄ、隆起部１７０）に速度数字を設けてもよい。さらに傾斜部５７，１５６に速度数字と速度目盛の両方を設け、内側環状壁部７５，１５８（装飾部材Ｄ、隆起部１７０）には速度数字や速度目盛等の指標を全く設けない構成（つまり、略リング状に形成された装飾部材Ｄや隆起部１７０を純粋な金属調の装飾体とした構成）としてもよい。
【００８１】
また前記各実施形態では、傾斜部５７，１５６が金属調を有するように形成されてなる場合について説明したが、例えば金属調の傾斜部５７，１５６の前面に貫通孔５５と同心円状のスピン状のヘアライン模様を形成してもよい。このような構成とすることで指標板の質感を向上させることができる。なお、前記ヘアライン模様は、例えば前記絞り加工の際に傾斜部５７，１５６の前面に形成（転写）されるようになっている。さらに、傾斜部５７，１５６に加えて内側環状壁部７５，１５８や外側環状壁部７６，１５９にも前記ヘアライン模様を形成してもよい。前記ヘアラインは、速度数字や速度目盛の形成箇所を除いた部分に形成されるものとする。
【００８２】
また前記各実施形態では、傾斜部５７，１５６が、速度数字からなる指標部５１，１５１と、この指標部５１，１５１の背景をなす金属調の背景部５２，１５２とからなる場合について説明したが、例えば黒色系の遮光性インクを用いて印刷形成された背景部５２，１５２上に半艶消し層を設けて、背景部５２，１５２前面が光沢を有する構成としてもよい。なお、前記半艶消し層は、背景部５２，１５２前面に加えて指標部５１，１５１前面に形成してもよい。
【００８３】
また前記各実施形態では、傾斜部５７，１５６が、略すり鉢状の傾斜面を構成してなる場合について説明したが、傾斜部５７，１５６の形状はあらゆる形状を採用することが可能であり、例えば傾斜部５７，１５６を略椀形状の曲面からなる傾斜面に設定してもよい。さらには、例えば指標板における板面の面積が、比較的大きい（広い）構成にあっては、傾斜部５７，１５６を傾斜面ではなく平板部５６，１５５と略同一面からなる平坦面に設定してもよい。この場合、照射部７３，１５７から照射される光は、回転中心部Ｒを越えて、前記平坦面の所定箇所へ導かれることになる。
【図面の簡単な説明】
【００８４】
【図１】本発明の第１実施形態による計器装置の正面図である。
【図２】図１のＡ−Ａ断面図である。
【図３】図２の一部を拡大して示す要部断面図である。
【図４】同実施形態による虚像が表示された状態を示す計器装置の正面図である。
【図５】同実施形態の変形例を示す図である。
【図６】本発明の第２実施形態による計器装置の要部断面図である。。
【図７】本発明の第３実施形態による計器装置の要部断面図である。
【符号の説明】
【００８５】
２    回転軸
４    指針
５    第１の指標板（指標板）
６    第１の支持部材
７    第２の指標板
８    第２の支持部材
１０，１９０    光源
５１    第１の指標部（指標部）
５２，１５２    背景部
５７，１５６    傾斜部
６３    第１の透光部
７１    第２の指標部
７２    地色部
７３，１５７    照射部
８３    第２の透光部
８４，１６６，１８２    反射部
８５，１６７    着色部
１５０    指標板
１５１    指標部
１６０    支持部材
１６３    透光部
１７０    隆起部
１８０    導光部材
Ｄ    装飾部材
Ｌ    軸線
Ｌ１，Ｌ２，Ｌ３  光路
Ｒ    回転中心部
Ｓ１    第１の照明室
Ｓ２    第２の照明室
Ｘ    虚像
【図１】
2008064636.tif 000003
【図２】
2008064636.tif 000004
【図３】
2008064636.tif 000005
【図４】
2008064636.tif 000006
【図５】
2008064636.tif 000007
【図６】
2008064636.tif 000008
【図７】
2008064636.tif 000009